(57)【特許請求の範囲】
【請求項１】
主バーナと、前記主バーナに点火するための種火バーナと、前記主バーナ及び種火バーナの燃焼の設定を行う設定手段と、前記主バーナ用の炎検出手段と、制御手段とを有する燃焼装置において、
前記制御手段は、前記設定手段において前記主バーナが非燃焼に設定されているときには、前記主バーナ用の炎検出手段に対する電源供給を間欠的に行わせる省電力制御を実行するとともに、前記設定手段において前記種火バーナに対する点火の設定がされたときには、前記種火バーナでの燃焼が確認されるまでの間は前記主バーナ用の炎検出手段に対する前記省電力制御を一時的に解除することを特徴とする燃焼装置。
【請求項２】
前記主バーナ用の炎検出手段に対する省電力制御において電源供給を間欠させる間隔は、主バーナで加熱する熱交換器に備えられた過熱防止装置の作動温度と主バーナの燃焼能力とに基づいて設定されていることを特徴とする請求項１に記載の燃焼装置。
【請求項３】
前記主バーナ用の炎検出手段としてフレームロッド式の炎検出装置が備えられていることを特徴とする請求項１または２に記載の燃焼装置。
【発明の詳細な説明】
【技術分野】
【０００１】
この発明は燃焼装置に関し、より詳細には、主バーナに点火するための種火バーナを備えた燃焼装置における主バーナの炎検出手段の制御技術に関する。
【背景技術】
【０００２】
従来、バランス式の風呂釜装置や瞬間式の湯沸かし器のように、種火バーナと主バーナを備えた構造の燃焼装置においては、主バーナの炎の検出にはサーモカップル（熱電対）が用いられている。サーモカップル式の炎検出手段は、周知のごとく、サーモカップルの熱起電力を利用して炎の有無を検出することから、燃焼／非燃焼の判定には数秒程度のタイムラグが生じてしまう。そのため、この種の燃焼装置においても主バーナの炎の検出を瞬時に行えるようにすることが望まれており、フレームロッド式の炎検出手段を採用することが提案されている（たとえば、特許文献１参照）。
【先行技術文献】
【特許文献】
【０００３】
【特許文献１】特開昭６２−１２３２２２号公報
【発明の概要】
【発明が解決しようとする課題】
【０００４】
しかしながら、このような燃焼装置において、主バーナの炎検出にフレームロッド式の炎検出手段を採用するには以下のような問題があり、その改善が望まれていた。
【０００５】
この種の燃焼装置における主バーナの炎検出手段は、本来、種火バーナから主バーナへの火移りが正しく行われたか否か、主バーナが立ち消え（失火）していないか否かなどを燃焼装置の制御手段が判断できるように設けられているが、器具の安全を確保するためには、主バーナを非燃焼に設定しているとき（たとえば、種火バーナのみを燃焼させておく口火待機モードにあるときや、種火バーナ及び主バーナの双方をともに非燃焼とする消火待機モードにあるとき）であっても、主バーナの燃焼の有無を制御手段で監視できるように構成しておくのが望ましい。
【０００６】
すなわち、主バーナが非燃焼に設定されているときに炎検出手段を機能させておくことによって、たとえば、口火待機モード時に主バーナが燃焼しているといった事態（主バーナへの燃料供給の遮断不良など）の発見が容易になる。
【０００７】
一方、フレームロッド式の炎検出手段は、炎の整流作用を利用して炎の有無を検出することから、フレームロッドを通じて炎の検出を行うためには、フレームロッドの検出回路に電源を供給しておく（フレームロッドの回路電源をオンにしておく）必要がある。
【０００８】
ところで、この種の燃焼装置は、その使用環境にもよるが、通常、一日のうちの限られた時間だけしか種火がつけられておらず、多くの時間は種火すらつけていない状態とされている。たとえば、風呂釜装置の場合、入浴時のみ種火がつけられ、その他の時間は種火も消されているのが実情である。
【０００９】
そのため、この種の燃焼装置において、主バーナが非燃焼に設定されているときにも制御手段で主バーナの炎検出ができるようにすると、フレームロッドの回路電源は常時オン状態となり消費電力の増加を招くことになる。特に、この種の燃焼装置ではフレームロッドの回路電源に電池が使用されることが多いため、電池の消耗が激しくなり頻繁に電池交換をしなければならなくなるという問題が生じる。
【００１０】
本発明は、このような問題点に鑑みてなされたものであって、その目的とするところは、主バーナ用の炎検出手段での電力消費を抑制しつつ器具の安全を確保できる燃焼装置を提供することにある。
【課題を解決するための手段】
【００１１】
上記目的を達成するため、本発明の請求項１に係る燃焼装置は、主バーナと、上記主バーナに点火するための種火バーナと、上記主バーナ及び種火バーナの燃焼の設定を行う設定手段と、上記主バーナ用の炎検出手段と、制御手段とを有する燃焼装置において、
上記制御手段は、上記設定手段において上記主バーナが非燃焼に設定されているときには、上記主バーナ用の炎検出手段に対する電源供給を間欠的に行わせる省電力制御を実行するとともに、上記設定手段において上記種火バーナに対する点火の設定がされたときには、上記種火バーナでの燃焼が確認されるまでの間は上記主バーナ用の炎検出手段に対する上記省電力制御を一時的に解除することを特徴とする。
【００１２】
この請求項１に係る燃焼装置においては、燃焼装置の設定手段によって主バーナが非燃焼状態に設定（たとえば、制御手段が口火待機モードや消火待機モードとなる設定）されると、燃焼装置の制御手段が主バーナ用の炎検出手段に対する電源供給を間欠的に行わせるように構成されている。これにより、主バーナが非燃焼に設定されているとき、主バーナ用の炎検出手段には電源が供給される期間と電源が供給されない（電源が遮断される）期間とが交互に発生することとなり、電源が遮断されている期間中は電力の消費が抑制される。また、電源が供給される期間中は主バーナの炎の検出ができるので、制御手段はこの期間中の検出結果を用いて主バーナへの燃料供給の遮断不良や炎検出手段の故障の発見などを行うことができるようになる。
【００１４】
そして、この請求項１に係る燃焼装置においては、主バーナが非燃焼に設定されている状態であっても、燃焼装置の設定手段において種火バーナへの点火の設定が行われる（つまり、種火バーナへの点火動作の開始が指示される）と、制御手段は、種火バーナでの燃焼が確認されるまでの間、主バーナ用の炎検出手段に対する省電力制御を一時的に解除して主バーナ用の炎検出手段を機能させる。これにより、種火バーナに点火された炎が主バーナに火移りしていないか（換言すれば、主バーナへの燃料供給の遮断不良）が発生していないかを制御手段が判断できるようになる。なお、種火バーナへの点火が確認されると、制御手段は主バーナに対する省電力制御を再開し、設定手段において主バーナの燃焼が設定されるまでの間、主バーナ用の炎検出手段に対する電源供給を間欠的に行わせる。
【００１５】
本発明の請求項２に係る燃焼装置は、請求項１に記載の燃焼装置において、上記主バーナ用の炎検出手段に対する省電力制御において電源供給を間欠させる間隔は、主バーナで加熱する熱交換器に備えられた過熱防止装置の作動温度と主バーナの燃焼能力とに基づいて設定されていることを特徴とする。
【００１６】
すなわち、この請求項２に係る燃焼装置は、上記省電力制御時における主バーナの炎検出手段に対する電源供給の間隔が、主バーナで加熱する熱交換器に設けられる過熱防止装置（たとえば、所定温度まで上昇すると作動するバイメタルスイッチなど）の作動温度と主バーナの燃焼能力とに基づいて相対的に設定される。具体的には、空焚きなど過熱防止装置が作動する状況を想定し、この想定の下で、主バーナの燃焼能力に基づいて過熱防止装置が作動するまで（作動温度に到達するまで）に要する期間（時間）を算出し、上記省電力制御時において主バーナ用の炎検出手段に対する電源を遮断する期間が、この算出した期間よりも短くなるように設定する。つまり、過熱防止装置が作動すると想定される所要時間よりも短い間隔で主バーナの炎検出手段に電源が供給されるように設定する。これにより、空焚きなどによって過熱防止装置が作動する前に主バーナ用の炎検出手段が主バーナの燃焼（炎）を検出できるようになり、過熱防止装置が作動する前に制御手段が必要な安全動作（たとえば、主バーナに対する燃料供給の遮断など）を行うことができる。
【００１７】
本発明の請求項３に係る燃焼装置は、請求項１または２に記載の燃焼装置において、上記主バーナ用の炎検出手段としてフレームロッド式の炎検出装置が備えられていることを特徴とする。
【発明の効果】
【００１８】
本発明によれば、設定手段において主バーナが非燃焼に設定されているときには、制御手段は主バーナ用の炎検出手段に対する電源供給を間欠的に行わせる制御を行うように構成されるので、電源供給が遮断されている期間中は主バーナ用の炎検出手段において電力が消費されることがない。そのため、主バーナ用の炎検出手段として、たとえば、フレームロッド式の炎検出装置を用いても、電力消費の少ない燃焼装置を提供することができる。また、電力消費が少なくてすむので、たとえば、電源に電池を使用した燃焼装置に好適に使用することができる。
【００１９】
また、主バーナが非燃焼に設定されている状態であっても主バーナ用の炎検出手段が間欠的に機能するので、制御手段は器具に異常があれば早期に発見することができ、安全性に優れた燃焼装置を提供できる。
【図面の簡単な説明】
【００２０】
【図１】本発明に係る燃焼装置の一例を示す概略構成図である。
【発明を実施するための形態】
【００２１】
以下、本発明の実施形態を図面に基づいて詳細に説明する。
図１は、本発明に係る燃焼装置の一例を示す概略構成図である。具体的には、この図１は、本発明に係る燃焼装置を風呂釜装置の燃焼系に適用した場合を示している。
【００２２】
この風呂釜装置１は、給気口２５と排気口２６とが同一雰囲気の室外に出ている構造を備えたバランス式の風呂釜装置であり、図１ではカランやシャワーなどの給湯栓（図示せず）に温水を供給する給湯機能を備えた風呂釜装置が示されている。
【００２３】
ここで、この風呂釜装置１は、熱交換器部２と、燃焼部３と、設定部４と、表示部５と、制御部６とを主要部として構成される。熱交換器部２は、一端が浴槽Ｂの下層部に連通するとともに他端が浴槽Ｂの上層部に連通する風呂熱交換器７と、一端が上水道などの給水源に接続されるとともに他端が給湯栓に接続された給湯熱交換器８とを備えており、風呂熱交換器７で風呂の追い焚き（浴槽Ｂ内の湯水の加熱）を行うとともに、給湯熱交換器８で給湯栓への給湯を行うように構成されている。
【００２４】
図において９は空焚き安全装置（過熱防止装置）を示している。この空焚き安全装置９はバイメタルで構成されており、風呂熱交換器８が所定温度（バイメタルの作動温度Ｔ１）まで加熱されると作動して、後述する制御部６がこれを検知して、元ガス弁１２の閉止を指令するなど空焚きに伴う所定の安全動作を行うように構成されている。なお、この空焚き安全装置９としては、バイメタルに代えて、あるいは、バイメタルとともに温度ヒューズを用いてもよい。
【００２５】
燃焼部３は、熱交換器部２を加熱するための主バーナ（メインバーナ）１０と、この主バーナ１０に点火するための種火をつける種火バーナ（パイロットバーナ）１１とを主要部として構成されている。これら主バーナ１０及び種火バーナ１１は、本実施形態ではいずれもガスを燃料とするガスバーナで構成されており、ガス供給源から供給される燃料ガスが元ガス弁１２を介して、これら主バーナ１０及び種火バーナ１１に供給されるように構成されている。具体的には、ガス供給源から供給される燃料ガスは、元ガス弁１２の下流側（バーナ側）で主バーナ１０に連通する主ガス通路１３と種火バーナ１１に連通する種火ガス通路１４とに分岐されており、主ガス通路１３には主バーナ１０への燃料ガスの供給を遮断可能に構成されたメインガス弁１５が設けられ、種火ガス通路１４には種火バーナ１１への燃料ガスの供給を遮断可能に構成されたパイロットガス弁１６が設けられている。
【００２６】
１７は種火バーナ１１に点火するための点火プラグであり、この点火プラグ１７は種火バーナ１１に臨んで設けられており、イグナイタ１８に接続されている。主バーナ１０および種火バーナ１１には、それぞれ炎検出手段が設けられている。本実施形態では、この炎検出手段として、主バーナ用の炎検出手段にはフレームロッド式の炎検出装置が用いられている。図１において２０はこの炎検出装置のフレームロッドを示しており、このフレームロッド２０は主バーナ１０に臨んで設けられている。なお、フレームロッド２０は、後述する制御部６と電気的に接続されており、フレームロッド２０で炎を検出するための検出回路は制御部６に設けられている。これに対して、種火バーナ用の炎検出手段には、本実施形態ではサーモカップル２１が用いられている。このサーモカップル２１も制御部６と電気的に接続されており、制御部６で種火バーナ１１の炎の検出ができるように構成されている。
【００２７】
設定部（設定手段）４は、風呂釜装置１の操作装置であって、図に示すようなダイヤル式のつまみ２３を備えて構成されている。このつまみ２３は、風呂釜装置１の本体ケース（図示せず）に外装されており、ユーザがこのつまみ２３を操作することによって風呂釜装置１の状態（燃焼／非燃焼）の設定を行えるようにされている。
【００２８】
本実施形態の風呂釜装置１では、このつまみ２３を初期位置（図１におけるポジション０の位置参照）から点火位置（ポジション１参照）に移行させると、このつまみ２３の操作に連動して元ガス弁１２及びパイロットガス弁１６が開かれるとともに、制御部６には種火バーナ１１への点火動作が指令される。これにより、制御部６は点火モードに遷移し、イグナイタ１８を作動させて点火プラグ１７を点火状態として、種火バーナ１１に対する点火を行う。そして、制御部６が上記種火バーナ用の炎検出手段を通じて種火バーナ１１の炎を検出（種火バーナ１１の燃焼を確認）すると、このつまみ２３は口火位置（ポジション２参照）に移行し、これに伴って制御部６は口火待機モードに遷移する。なお、この口火待機モードでは、主バーナ１０への点火は行われず、主バーナ１０は非燃焼に設定されている。
【００２９】
これに対して、給湯または風呂追い焚きを行う場合、このつまみ２３を口火位置から給湯位置（ポジション３の位置参照）または風呂位置（ポジション４の位置参照）に移行させる。つまみ２３がこれら給湯位置または風呂位置に設定されると、この操作に連動してメインガス弁１５が開かれる。これにより、種火バーナ１１で燃焼している種火が主バーナ１０に火移りし、主バーナ１０への点火が行われる（つまり、つまみ２３を給湯位置または風呂位置にすると主バーナ１０は燃焼に設定される）。また、つまみ２３が給湯位置または風呂位置に設定されると、それに伴って制御部６は口火待機モードからメイン燃焼モードに遷移する。
【００３０】
主バーナ１０の燃焼を停止させる場合、上記つまみ２３を口火位置または初期位置に移行させる。口火位置に移行させた場合にはメインガス弁１５だけが閉じられ、種火を残した状態（主バーナは非燃焼に設定されたこと）となって制御部６は口火待機モードに遷移する。これに対して、初期位置に移行させた場合には、元ガス弁１２及びメインガス弁１５が閉じられ、主バーナ１０及び種火バーナ１１の双方ともに消火される。つまり、この場合は、主バーナ１０及び種火バーナ１１の双方が非燃焼に設定され、制御部６は消火待機モードに遷移する。
【００３１】
表示部５は、風呂釜装置１の状態を表示する表示手段であり、本実施形態ではこの表示部５として発光ダイオードなどの表示灯（図示せず）が用いられている。この表示灯は外部から視認できるように風呂釜装置１の本体ケースに外装されている。なお、この表示部５は、制御部６によって点灯／消灯の制御が行われるようにされており、たとえば、風呂釜装置１に異常があるときなどはその旨を外部に報知できるようにされている。
【００３２】
制御部（制御手段）６は、風呂釜装置１の各部を制御するマイコン（図示せず）を備えた制御基板であって、この制御部６は、上述したように、上記設定部４のつまみ２３の位置（ユーザの操作）に応じて、動作モードを、消火待機モード、口火待機モード、メイン燃焼モードに切り替えて、各動作モードに応じた所定の制御を実行するように構成されている。
【００３３】
そして、本実施形態では、この制御部６には、上述したフレームロッド２０の検出回路（図示せず）が実装されており、この検出回路によって制御部６は主バーナ１０の炎の有無を検出するように構成されている。ここで、この検出回路の構成自体は公知であるので説明は省略するが、本実施形態では、この検出回路の電源は後述する電源部３０から供給される。
【００３４】
そして、この電源部３０からフレームロッド２０の検出回路への電源経路には、上記検出回路への電源供給を遮断可能に構成されたスイッチ回路部３１が設けられている。このスイッチ回路部３１は、制御部６によって制御されるスイッチ（図示せず）を備えており、フレームロッド２０の検出回路に対する電源供給だけを遮断可能に構成されている。なお、制御部６の他の回路や表示部５への電源供給はこのスイッチ回路部３１を介さずに行われ、スイッチ回路部３１の動作によって電源が遮断されることがないように構成されている。
【００３５】
電源部３０は、制御部６や表示部５などに電力を供給するための電源手段であって、本実施形態では、この電源部３０には電池（乾電池）が用いられている。すなわち、本実施形態の風呂釜装置１には、乾電池を挿入するための電池ケース（図示せず）が備えられており、商用電源を必要とせずに装置各部が動作できるように構成されている。
【００３６】
次に、このように構成された風呂釜装置１における主バーナ１０の炎検出動作について説明する。
【００３７】
この風呂釜装置１は、設定部４において主バーナ１０が燃焼状態に設定されているとき、換言すれば、つまみ２３が給湯位置または風呂位置に設定されているときには、制御部６が上記スイッチ回路部３１のスイッチをオンにして、フレームロッド２０の検出回路に電源部３０からの電力が供給されるようにする。
【００３８】
つまり、つまみ２３が給湯位置または風呂位置にあるときは、フレームロッド２０の検出回路に電源が供給され、主バーナ１０の炎（燃焼）の有無が検出可能な状態とされる。これにより、制御部６は、主バーナ１０が燃焼に設定されているときは、主バーナ１０に炎（燃焼）があるか否かを常に監視することとなる。なお、このときに主バーナ１０に炎が検出されなければ、制御部６は、主バーナ１０は立ち消え（失火）していると判断し、あらかじめプログラムされた所定の安全動作（たとえば、元ガス弁１２を閉じて、表示部５に立ち消えの警報を表示するなどの動作）を行う。
【００３９】
これに対して、設定部４において主バーナ１０が非燃焼に設定されているとき、換言すれば、設定部４のつまみ２３が初期位置（消火位置）または口火位置にあるときには、制御部６は、フレームロッド２０の検出回路に対する電源供給を間欠的に行わせる省電力制御を行う。
【００４０】
ここで、主バーナ１０が非燃焼に設定されているときの省電力制御として、フレームロッド２０の検出回路に対する電源供給を完全に遮断することも考えられる。その場合、省電力効果が大きくなり好ましいようにも思えるが、たとえば、メインガス弁１５が遮断不良に陥っている（つまり、弁が閉じない開故障となっている）状態でつまみ２３を口火位置に設定すると、種火が主バーナ１０に火移りするおそれがあり、ひいては、通水がない状態で熱交換器部２を空焚きするおそれがある。また、フレームロッド２０の検出回路が常に主バーナ１０に炎ありと誤検出するオン故障している場合には、つまみ２３を口火位置から給湯位置または風呂位置に設定したときに、主バーナ１０への火移りが完了する前に主バーナ１０は燃焼していると誤判定するおそれがある。
【００４１】
そのため、本実施形態に示す風呂釜装置１では、主バーナ１０が非燃焼に設定されているときの省電力制御として、フレームロッド２０の検出回路に対する電源供給を間欠的に行い、主バーナ１０が非燃焼に設定されている場合であってもフレームロッド２０によって主バーナ１０の炎の有無の検出が間欠的に行われるようにしている。つまり、主バーナ１０が非燃焼に設定されているときには、制御部６は、上記スイッチ回路部３１のスイッチを間欠的にオン／オフさせて、フレームロッド２０の検出回路に電源が供給される期間と電源が供給されない（電源が遮断される）期間とが交互にくるように制御する。
【００４２】
これにより、主バーナ１０が非燃焼に設定されているときでも主バーナ１０での炎の検出が行われるので、メインガス弁１５の遮断不良により主バーナ１０への火移りがあれば制御部６は主バーナ１０の燃焼を発見することができる。また、つまみ２３を初期位置に設定しているときにフレームロッド２０の検出回路が主バーナ１０の炎を検出すれば、フレームロッド２０の検出回路がオン故障していると判断することができる。
【００４３】
ここで、フレームロッド２０の検出回路に対する電源供給の間隔（具体的には、電源を遮断する期間の長さ）は、主バーナ１０で加熱する熱交換器部２に設けられた空焚き安全装置（過熱防止装置）９の作動温度Ｔ１と、主バーナ１０の燃焼能力とに基づいて相対的に設定される。
【００４４】
具体的には、この設定は、まず、空焚きによって空焚き安全装置９が作動する状況を想定し、この想定の下で、主バーナ１０の燃焼によって空焚き安全装置９が作動するまで（作動温度Ｔ１に到達するまで）に要する所要時間Ｔ２を算出する。そして、上述した省電力制御においてフレームロッド２０の検出回路に対する電源遮断の期間Ｔ３が、この算出した期間Ｔ２よりも短くなるように設定される（つまり、Ｔ２＞Ｔ３に設定する）。たとえば、この電源遮断の期間Ｔ３としては、３０秒〜１分程度の値が用いられる。
【００４５】
これは、メインガス弁１５の遮断不良などによって空焚きが発生した場合に、空焚き安全装置９が作動する前にフレームロッド２０の検出回路によって主バーナ１０の燃焼を検出できるようにするためである。これにより、メインガス弁１５の遮断不良による空焚きが発生しても、空焚き安全装置９による安全動作が開始される前に制御部６は主バーナ１０の燃焼異常（非燃焼設定時に燃焼している状態）を発見し、所定の安全動作（たとえば、元ガス弁１５を閉じて、表示部５にメインガス弁が故障した旨の警報を表示するなど）を行うことになる。
【００４６】
なお、つまみ２３を点火位置に移行させて種火バーナ１１に対する点火の設定を行っている状態では、主バーナ１０は非燃焼に設定されているので、このときも上述した間欠的な省電力制御を行ってもよい。しかし、本実施形態の風呂釜装置１では、この種火バーナ１１に対する点火の設定がされたときから制御部６が種火バーナ１１での燃焼を確認するまでの間（つまり、サーモカップル２１が炎を検出するまでの間）は、上述した間欠的な省電力制御を一時的に解除して、フレームロッド２０の検出回路に電源を供給し、主バーナ１０の炎の有無を連続的に監視するように構成されている。これは、メインガス弁１５の遮断不良による主バーナ１０への火移りやフレームロッド２０の検出回路のオン故障を早期に発見するためである。なお、メインガス弁１５の遮断不良やフレームロッド２０の検出回路のオン故障が発見されると、制御部６は、あらかじめプログラムされた所定の安全動作（たとえば、元ガス弁１５を閉じて、表示部５にこれらの警報を表示するなどの動作）を行う。
【００４７】
このように、本発明の風呂釜装置１では、設定部４において主バーナ１０が非燃焼に設定されているときには、制御部６が主バーナ用の炎検出手段（フレームロッドの検出回路）に対する電源供給を間欠的に行わせる省電力制御を実行するので、この間にフレームロッドの検出回路で消費される電力を少なくすることができる。特に、風呂釜装置１の場合、一日のうちのほとんどの時間が主バーナ１０を非燃焼に設定している状態となるので、フレームロッドの検出回路への電源供給を間欠的に行うことによる省電力効果は大きい。
【００４８】
なお、上述した実施形態は本発明の好適な実施態様を示すものであって、本発明はこれらに限定されることなく発明の範囲内で種々の設計変更が可能である。
【００４９】
たとえば、上述した実施形態では、本発明をバランス式の風呂釜装置に適用した場合を示したが、本発明は、主バーナ１０と種火バーナ１１とを有し、かつ、主バーナ用の炎検出手段（フレームロッド２０）を備える燃焼装置であれば、他の態様の燃焼装置（たとえば、瞬間式の湯沸かし器やガスコンロなど）にも適用可能である。
【００５０】
また、上述した実施形態では、設定部４のつまみ２３が初期位置または口火位置にあるときにフレームロッド２０の検出回路に対する省電力制御を行うように構成した場合を示したが、たとえば、つまみ２３が口火位置にあるとき（制御部６が口火待機モードにあるとき）にのみ省電力制御を行うように構成し、つまみ２３が初期位置にあるとき（制御部６が消火待機モードにあるとき）には、主バーナ１０の消火時に主バーナ１０が非燃焼になっていることを制御部６が確認することを条件に、フレームロッド２０の検出回路への電源供給を完全に遮断するよう構成することもできる。これにより、より一層の省電力効果の増大を図ることができるようになる。
【００５１】
また、上述した実施形態では、主バーナ１０及び種火バーナ１１としてガスを燃料とするガスバーナを用いた場合を示したが、主バーナ１０及び種火バーナ１１はガス以外の燃料（たとえば、オイル）によるバーナで構成されていてもよい。
【符号の説明】
【００５２】
１              風呂釜装置（燃焼装置）
２              熱交換器部
３              燃焼部
４              設定部（設定手段）
５              表示部
６              制御部（制御手段）
７              風呂熱交換器
８              給湯熱交換器
９              空焚き安全装置（過熱防止装置）
１０            主バーナ
１１            種火バーナ
１２            元ガス弁
１５            メインガス弁
１６            パイロットガス弁
２０            フレームロッド（主バーナ用の炎検出手段）
２１            サーモカップル（種火バーナ用の炎検出手段）
３０            電源部
３１            スイッチ回路部
Ｂ              浴槽
【図１】
0005482240.tif 000002